(57)【要約】【課題】    便を検体とする検査において、固形便又は水様便のどちらの便であっても容易に所定量の便を採取することができ、しかも手を汚す可能性が少ない採便器具を提供すること。【解決手段】          １３ｃｍ以上の長さを有する長尺状のスティック部と、該スティック部の一端に設けられる採便用の綿球と、該スティック部の他端に設けられる採便用のスプーンと、を備えたことを特徴とする。【選択図】          図１
2009133704.tif 000002
【特許請求の範囲】
【請求項１】
１３ｃｍ以上の長さを有する長尺状のスティック部と、該スティック部の一端に設けられる採便用の綿球と、該スティック部の他端に設けられる採便用のスプーンと、を備えたことを特徴とする採便器具。
【発明の詳細な説明】
【技術分野】
【０００１】
本発明は便の検査等を行うために便のサンプルを採取するための採便器具に関する。
【背景技術】
【０００２】
従来、採便用の器具としては様々な種類のものが公知である。例えば、試験管状をし反応試薬が収納された測定容器と、管状をし上下の開口部にシール材が貼着されその内部に試薬が封入されて成る試薬容器とにより構成され、測定容器の上部開口部に試薬容器を嵌装させて成ることを特徴とする検体検査用器具、の発明が提案されている（特許文献１）。また、綿球を先端に備えた採取部支持スティック部と、前記採取部支持スティック部の基端側を支持したキャップと、有底で筒状となっていて先端の口元部が前記キャップで閉塞される容器と、前記容器内の底部に収容された保存培地とを有する検体採取器具セット、の発明が提案されている（特許文献２）。さらに、糞便を懸濁させる液体を収容する容器本体と、該容器本体の一端に連設する蓋体と、前記容器本体と蓋体との内部空間を区分する分離手段と、該分離手段に形成された貫通孔と、該貫通孔に嵌挿される糞便採取棒とを具備し、該糞便採取棒は、糞便採取棒本体と、該糞便採取棒本体の先端若しくは先端付近に設けられた多数の毛を有する糞便採取部とを有することを特徴とする糞便採取用具、の発明が提案されている（特許文献３）。
【０００３】
しかしながら、従来の採便用の器具では、先端に綿球又は毛を備えているものの、このような綿球又は毛を使用する場合、便が水様便であれば好適に採取することができるが、便が固形便であれば少量しか採取することができず、検査に不都合が生じやすい傾向にあった。しかしながら、先端を固形便を採取するために好適な形状にすると、逆に水様便のほうがうまく採取できなくなるという問題がある。
【０００４】
このように、従来の採便器具にあっては、水様便と固形便との両方に対して好適に採便できるものは存在しなかった。とくに便の検査においてはサンプルの量はなるべく一定量を採取することが好ましいため、便の状態に関係なく所定量の便を採取できる採便器具が望まれていた。
【０００５】
また、採便する際には便が手に付着するリスクがあり、とくに便中に感染性の病原体の存在が疑われるような場合には、便が手に付着することには心理的な抵抗がある。このため、可及的にこのようなリスクが少ない採便器具が待望されていた。
【０００６】
【特許文献１】特開２０００−３４６８３８号公報
【特許文献２】特開２０００−３４２５９１号公報
【特許文献３】特開平８−２８５８４５号公報
【発明の開示】
【発明が解決しようとする課題】
【０００７】
本発明は、以上のような課題に鑑みてなされたものであり、便を検体とする検査において、固形便又は水様便のどちらの便であっても所定量の便を容易に採取することができ、しかも手を汚す可能性が少ない採便器具を提供することを目的とする。
【課題を解決するための手段】
【０００８】
以上の課題を解決する本発明は、１３ｃｍ以上の長さを有する長尺状のスティック部と、該スティック部の一端に設けられる採便用の綿球と、該スティック部の他端に設けられる採便用のスプーンと、を備えたことを特徴とする採便器具、である。
【発明の効果】
【０００９】
本発明の採便器具によれば、固形便又は水様便のどちらの便であっても所定量の便を容易に採取することができ、しかも手を汚す可能性が少ない状況で採取できる。従って、便を検体とする検査を行う検査担当者の負担を軽減することができる。特に胃腸炎等に罹患している患者を対象とする場合などにあっては、患者によって便の状態がさまざまであり、しかも便に感染性の細菌が含まれている可能性も考えられるため、所定量の便を容易に採取することができるとともに便が手に付着するリスクが少ない本発明の採便器具は好適である。
【発明を実施するための最良の形態】
【００１０】
本発明の採便器具は、長尺状のスティック部を有している。スティック部の材質としては、例えば紙、プラスチック、木等が採用可能である。スティック部の太さについても手に持ちやすい太さであればいかなる太さでもよい。また、スティック部の太さは端から端まで一定である必要はなくスティック部の中央部だけが両端部よりも太めに形成されていてもよい。スティック部の断面形状は丸、楕円、四角、三角、その他の多角形など自由な形状を選択することができるが、持ちやすい形状であることが好ましい。
【００１１】
スティック部の長さは１３ｃｍ以上あることが必要である。この長さは、後述する綿球やスプーンの長さは含まずに手で握ることができる長尺状の部分の長さのことである。
【００１２】
仮にスティック部の長さが１３ｃｍ未満であると、採便する際に手に付着しやすくなるため、本発明の効果を享受することが難しくなる。従って、スティック部の長さは１３ｃｍ以上であることが必要なのである。なお、このように長いスティック部を有していれば、採取した便を試験管に移す際にも、試験管にスティック部を挿入した状態で試験管から十分な長さのスティック部がはみ出すことになり、検査する者は試験管に手を触れる可能性が少ない状況で便を試験管に移すことが可能である。
【００１３】
なお、スティック部が長すぎると逆に取り扱いが不便になるため、スティック部の長さは２０ｃｍ以下であることが好ましい。
本発明はこのようなスティック部の一端に採便用の綿球を設けたことを特徴とする。綿球の材質は繊維質であればよく、レーヨン他の合成繊維等、どのようなものであってもよいが、コスト及び入手のしやすさを考慮すると「綿」がもっとも望ましい。
【００１４】
綿球の形状及び大きさは、直径が６ｍｍで長さが１０ｍｍの楕円形であることが好ましいが、円形であってもよく、偏平状、紡錘状、皿状、スプーン状、先端がとがった形状、球状に巻きつけた形状、段々をつけた形状など、適宜の形状と大きさとを選択することができる。綿球の形状及び大きさは、基本的には、採取するべき便の量によって調節することが好ましい。すなわち、使用する繊維の量を調整することにより吸収量をある程度調節することが可能である。このような綿球は、主として便の状態が水様便である場合に好適に用いられる。
【００１５】
また本発明はスティック部の他端に採便用のスプーンを設けたことも特徴としている。スプーンはとくに便の状態が固形便である場合に好適に用いられる。もちろん採取するべき便の量によってスプーンの大きさ、形状も選択される。スプーンの形状は、通常は「くぼみ」を有しておりその「くぼみ」によって便を取得する形状となっており、この目的を達するものであればいかなる形状でもでもよい。すなわち、通常の一般的なスプーンの形状のみならす、お玉状、楕円くぼみ状、多角形くぼみ状等の各種の形状を選択することができる。なお、このようなスプーンは、スティック部と一体に形成してもよい。
【００１６】
以上のような本発明の採便器具は、便の状態が水様便であれば一端の綿球を使用して採便し、便の状態が固形便であれば他端のスプーンを使用して採便する。このように本発明の採便器具は１本でさまざまな便に対応することができる。しかも常にほぼ一定量の便を採取することが可能である。またスティック部の長さが１３ｃｍ以上あるため、採便の際に手が便に接触することを効果的に抑止され、使用する者にとって安心感がある。
【００１７】
次に実施例によって本発明を詳細に説明するが、本発明の範囲は以下の実施例に限られるものではない。
【実施例１】
【００１８】
図１は、本発明の一実施例の採便器具を示す図である。図１において、採便器具１は、長尺状のスティック部２を有している。このスティック部の材質は紙であり、断面の形状は円であり、断面の直径は３ｍｍである。本実施例ではスティック部の長さＬは１３．５ｃｍである。
【００１９】
スティック部２の一端には綿球３が設けられている。綿球３は楕円球状であり、材質は綿であり、直径は６ｍｍで長さは１０ｍｍである。
【００２０】
スティック部の他端にはスプーン４が設けられている。このスプーン４はスティック部１と一体的にあらかじめ形成されており、スティック部２と同一の材質である。スプーン４における便をすくう部分の面積は２１ｍｍ２であり、一度に１００ｍｇ程度の固形便を採取する場合に好適に用いられる。
【００２１】
以上の実施例１の採便器具１を使用する場合は、スティック部２の中央付近を手でにぎり、便の状態が水様便であれば綿球３を便に接触させて適量の便を採取する。便の状態が固形便であればスプーン４によって便を適量すくいとって採取する。むろんスティック部２を持つ場合は、持つ場所はスティック部２の中央付近に限られるわけではなく、採便する側の端部の逆の端部を持ってもよい。
【００２２】
便を採取した後は、別途の容器に入った抽出液にそのまま綿球３又はスプーン４を浸漬し、便を抽出液に分散させ、次の検査工程に移す。
【００２３】
以上の一連の操作の中で、本発明の採便器具１は、スティック部２の長さＬが十分な長さを有しているので、スティック部２を握っている手が便に接触するリスクが軽減される。
【産業上の利用可能性】
【００２４】
本発明の採便器具によれば、便を検体とする検査において、固形便又は水様便どちらの便であっても所定量の便を容易に採取することができ、しかも手を汚す可能性が少ない状況で採取できる。特に胃腸炎等の患者を対象とする場合は、便の状態がさまざまであり、また便に感染性の細菌が含まれている可能性があることから、さまざまな便に対応できかつ便が手に付着するリスクが少ない本発明の採便器具は特に好適である。
【図面の簡単な説明】
【００２５】
【図１】本発明の一実施例の採便器具を示す図である。
【符号の説明】
【００２６】
１・・・本発明の採便器具
２・・・スティック部
３・・・綿球
４・・・スプーン
【図１】
2009133704.tif 000003